【手続補正書】
【提出日】平成23年9月8日(2011.9.8)
【手続補正１】
【補正対象書類名】特許請求の範囲
【補正対象項目名】全文
【補正方法】変更
【補正の内容】
【特許請求の範囲】
【請求項１】
対象者に物質を投与するための装置であって、
筐体と、
前記筐体内に固定して位置決めされ、および円筒形内面を有する、前記物質を収容するためのバイアルと、
前記バイアルに摺動可能に結合され、および前記円筒形内面と摺動摩擦接触している、前記バイアル内のストッパであって、前記摩擦接触が前記バイアルに対して前記ストッパの回転を妨げる回転摩擦成分と、前記ストッパの遠位方向への直線的な進行を妨げる線形摩擦成分とを含む、ストッパと、
（ａ）前記バイアルに対して回転可能であり、（ｂ）回転している間、前記バイアルに対して実質的に直線的に移動しない、第１ねじ構造部材と、
前記第１ねじ構造部材にねじ式に結合された第２ねじ構造部材と、
を備え、
前記第２ねじ構造部材の遠位端が、前記第２ねじ構造部材を前記ストッパに結合する結合部分を画定し、
前記機構は、前記第１ねじ構造部材が回転することにより、前記線形摩擦成分に打ち勝って、前記第２ねじ構造部材と前記ストッパとを前記バイアルの遠位端の方向に直線的に移動させ、
前記ストッパと前記円筒形内面との間の回転摩擦成分のみが、前記バイアルに関して、前記第１ねじ構造部材に対する前記ストッパと前記第２ねじ構造部材との回転を実質的に妨げる構造であることを特徴とする装置。
【請求項２】
前記第２ねじ構造部材の前記遠位端は、少なくとも部分的に前記ストッパ内に置かれることを特徴とする請求項１に記載の装置。
【請求項３】
円筒形内面が平滑であることを特徴とする請求項１に記載の装置。
【請求項４】
前記バイアルに摺動可能に結合された、前記バイアル内の分割ストッパをさらに備え、
前記バイアルは、遠位区画および近位区画を含み、前記遠位区画は粉末を収容し、前記近位区画は液体を収容し、前記分割ストッパは、前記遠位区画と前記近位区画との間の流体的な連通を可逆的に阻止し、
前記第１ねじ構造部材は、回転することにより、前記分割ストッパを前記バイアルの前記遠位端の方向に前進させることによって、前記粉末と前記液体とを混合することを特徴とする請求項１に記載の装置。
【請求項５】
前記第２ねじ構造部材の遠位端は、前記第１ねじ構造部材の回転の間は常に前記ストッパの遠位端の近位に留まるように構成されていることを特徴とする請求項１に記載の装置。
【請求項６】
前記バイアルおよび前記ねじ構造部材を収容するバイアルの筐体ユニットと、
前記バイアルの筐体ユニットに結合され、かつ前記筐体ユニットに緩く結合されている、針の筐体ユニットと、
前記針の筐体ユニットに収容された針と、
前記針の周囲に少なくとも部分的に配置されたカニューレと、
をさらに含み、
前記装置は前記カニューレを通して前記対象者に前記物質を投与するように構成されていることを特徴とする請求項１に記載の装置。
【請求項７】
前記第１ねじ構造部材はねじを備え、前記第２ねじ構造部材は前記ねじの周囲に少なくとも部分的に置かれるナットを含むことを特徴とする請求項１に記載の装置。
【請求項８】
前記ねじはテレスコピックねじを備え、前記ねじは、前記バイアルの前記遠位端の方向に前記テレスコピックねじを突き出すことにより、前記ナットの遠位端を前記バイアルの前記遠位端の方向に前進させるように構成されていることを特徴とする請求項７に記載の装置。
【請求項９】
前記ナットはテレスコピックナットを備え、前記ねじは、前記テレスコピックナットを前記バイアルの前記遠位端の方向に突き出すことにより、前記ナットの遠位端を前記バイアルの前記遠位端の方向に前進させるように構成されていることを特徴とする請求項７に記載の装置。
【請求項１０】
前記第１ねじ構造部材はナットを備え、前記第２ねじ構造部材は前記ナットの内側に少なくとも部分的に置かれるねじを備えることを特徴とする請求項１に記載の装置。
【請求項１１】
前記ねじはテレスコピックねじを備え、前記ナットは、前記テレスコピックねじを前記バイアルの前記遠位端の方向に突き出すことにより、前記ねじの遠位端を前記バイアルの前記遠位端の方向に前進させるように構成されていることを特徴とする請求項１０に記載の装置。
【請求項１２】
前記ナットはテレスコピックナットを備え、前記ナットは前記テレスコピックナットを前記バイアルの前記遠位端の方向に突き出すことにより、前記ねじの遠位端を前記バイアルの前記遠位端の方向に前進させるように構成されていることを特徴とする請求項１０に記載の装置。
【請求項１３】
対象者に物質を投与するための装置であって、
筐体と、
前記筐体内に固定して位置決めされ、および円筒形内面を有する、前記物質を収容するためのバイアルと、
前記バイアルに摺動可能に結合され、および前記円筒形内面と摺動摩擦接触している、前記バイアル内のストッパであって、前記摩擦接触が前記バイアルに対する前記ストッパの回転を妨げる回転摩擦成分と、前記ストッパの遠位方向への直線的な進行を妨げる線形摩擦成分とを含む、ストッパと、
（ａ）前記バイアルに対して回転可能であり、（ｂ）回転している間、前記バイアルに対して実質的に直線的に移動しない、第１ねじ構造部材と、
前記第１ねじ構造部材にねじ式に結合された第２ねじ構造部材と、
を備え、
前記第２ねじ構造部材の遠位端は、前記第１ねじ構造部材の回転の間は常に前記ストッパの遠位端の近位に留まり、
前記第１ねじ構造部材は、回転することにより、前記線形摩擦成分に打ち勝って、前記第２ねじ構造部材と前記ストッパとを前記バイアルの遠位端の方向に直線的に移動させ、
前記ストッパと前記円筒形内面との間の回転摩擦成分のみが、前記バイアルに対する前記ストッパと前記第２ねじ構造部材との回転を実質的に妨げる構造であることを特徴とする装置。
【請求項１４】
前記第１ねじ構造部材のピッチに対する最大直径の比は、前記ストッパの回転が、前記ねじ構造部材のピッチによって前記ストッパの直線的な進行を妨げるよりも大幅に大きく妨げられるようにされていることを特徴とする請求項１に記載の装置。
【請求項１５】
前記第１ねじ構造部材のピッチに対する最大直径の比は、前記ストッパの回転が、前記ねじ構造部材のピッチによって前記ストッパの直線的な進行を妨げるよりも大幅に大きく妨げられるようにされていることを特徴とする請求項１３に記載の装置。
【請求項１６】
前記バイアルを前記バイアルの筐体ユニット内に挿入する間、前記第１および第２ねじ構造部材と前記ストッパとは前記バイアルの遠位端の方向に移動することを特徴とする請求項６に記載の装置。
【請求項１７】
前記バイアルと、前記第１および第２ねじ構造部材とが前記バイアルに挿入されるように構成され、
前記筐体の一部は、前記筐体内に挿入する間、前記ねじ構造部材と前記ストッパとを前記バイアルの遠位端の方向に移動するように構成されていることを特徴とする請求項１に記載の装置。
【請求項１８】
前記筐体の前記一部は、前記ねじ構造部材と前記ストッパとを移動させる際に十分な力を加えることにより、前記バイアルと接触する前記ストッパの長期間の保存に起因する、前記ストッパとバイアルとの間の摩擦に打ち勝つように構成されていることを特徴とする請求項１７に記載の装置。
【請求項１９】
筐体に結合され、および対象者の皮膚に挿入するように構成されたカニューレをさらに備え、
前記筐体は、前記ねじ構造部材と前記ストッパとを移動させることにより、前記カニューレの遠位端を通してガスを放出するように構成されていることを特徴とする請求項１７に記載の装置。
【請求項２０】
前記筐体の前記一部は、前記ねじ構造部材と前記ストッパとを移動させることにより、前記カニューレの前記遠位端を通して前記物質の少なくとも一部を放出するように構成されている、請求項１９に記載の装置。
【請求項２１】
前記筐体の前記一部は、前記バイアルの近位端の一部を基準にして配置されており、これにより、前記バイアルと前記ねじ構造部材とを前記筐体内に挿入する間、前記筐体の前記一部と前記バイアルの前記近位端の前記一部との間の相対運動が、前記ねじ構造部材と前記ストッパとを前記バイアルの前記遠位端の方向に移動させることを特徴とする請求項１７に記載の装置。
【請求項２２】
前記筐体の前記一部は、前記筐体の前記一部と前記バイアルの前記近位端の前記一部との間の摺動運動が、前記ねじ構造部材と前記ストッパとを前記バイアルの前記遠位端の方向に進行させるように配置されていることを特徴とする請求項２１に記載の装置。
【請求項２３】
前記バイアルと前記ねじ構造部材とは、前記筐体内に挿入されるように構成され、さらに、前記筐体に結合された針と、前記針の周囲に少なくとも部分的に配置されたカニューレとを備え、
前記針は前記対象者の皮膚に刺入し、前記対象者の皮膚にカニューレを挿入するように構成され、
前記針は刺入の後に引き抜くように構成され、
前記装置は前記カニューレを通して前記対象者に前記物質を投与するように構成されていることを特徴とする請求項１に記載の装置。
【請求項２４】
前記針に結合された針駆動機構をさらに備え、
前記針駆動機構は、
対象者が力を加えるための対象者接触面と、
前記対象者により前記対象者接触面に加えられる力がしきい値を超えると、移動するように構成された力受入れ部材とを備え、
前記針は、前記力が前記しきい値を超えることにより前記力受入れ部材が移動すると、前記皮膚にすばやく刺入するように構成されていることを特徴とする請求項２３に記載の装置。